(57)【要約】【課題】簡単に装飾体を取り付けられ、スムーズに装飾体の取り付け位置を変えることができ、さらに装飾体の落下を防止することが可能な装飾具用止め具を提供すること。【解決手段】装飾体１２０又は装飾体が取り付けられる台座部１１０に設けられた固定部１０２と、少なくとも２箇所の固定部によって装飾体に固定され、装飾体側の一面に向かう方向に付勢力を生じさせる線状の弾性部材１０４と、弾性部材を被覆する被覆部材１０６、１０８とを備え、装飾体を保持する保持部材１３０を、弾性部材と装飾体との間に挟持することを特徴とする。【選択図】図１
2008194231.tif 000002
【特許請求の範囲】
【請求項１】
装飾体又は前記装飾体が取り付けられる台座部に設けられた固定部と、
少なくとも２箇所の前記固定部によって前記装飾体に固定され、前記装飾体側の一面に向かう方向に付勢力を生じさせる線状の弾性部材と、
前記弾性部材を被覆する被覆部材と、
を備え、
前記装飾体を保持する保持部材を、前記弾性部材と前記装飾体との間に挟持することを特徴とする、装飾具用止め具。
【請求項２】
前記被覆部材は、前記弾性部材が挿通される中空状の部材であることを特徴とする、請求項１記載の装飾具用止め具。
【請求項３】
前記弾性部材は、前記固定部から２以上の方向に延設されたことを特徴とする、請求項１又は２記載の装飾具用止め具。
【請求項４】
前記弾性部材は、形状記憶合金又は合成樹脂で形成されたことを特徴とする、請求項１〜３のいずれかに記載の装飾具用止め具。
【請求項５】
前記被覆部材は、筒形状又は球形状で形成されたことを特徴とする、請求項１〜４のいずれかに記載の装飾具用止め具。
【請求項６】
前記被覆部材は、弾性材で形成されたことを特徴とする、請求項１〜５のいずれかに記載の装飾具用止め具。
【請求項７】
前記被覆部材は、シリコン樹脂又はウレタン樹脂で形成されたことを特徴とする、請求項１〜６のいずれかに記載の装飾具用止め具。
【発明の詳細な説明】
【技術分野】
【０００１】
本発明は、装飾具用止め具に関する。
【背景技術】
【０００２】
装飾具には、貴金属や宝石等の宝飾品などを紐や鎖（チェーン）等に保持させるペンダントやブローチなどがある。例えば、ネックレスでは、ペンダントトップの金具部分に環状に形成された取付部（いわゆる鐶（カン）など）を設け、その取付部に紐や鎖を取り付けることで、ペンダントトップを保持させている。または、ペンダントトップの裏側にクリップを設け、クリップで紐やチェーンを挟持することで、ペンダントトップを保持している。
【発明の開示】
【発明が解決しようとする課題】
【０００３】
しかし、ペンダントトップに取付部を設けた場合は、紐等の長さで位置が決定するため、ペンダントトップの高さ（身に付けたときの高さ）を自由に変えることができないという問題があった。また、ペンダントトップの裏側にクリップを設けた場合、高さ位置を変えようとすると、いったん、紐などを挟むクリップの力を緩めさせて、さらに新たな位置でクリップによって紐などを挟持させるという動作が必要であり、スムーズに位置の移動をさせることができず、手間がかかるという問題があった。
【０００４】
そこで、本発明は、上記問題に鑑みてなされたものであり、本発明の目的とするところは、簡単に装飾体を取り付けられ、スムーズに装飾体の取り付け位置を変えることができ、さらに装飾体の落下を防止することが可能な、新規かつ改良された装飾具用止め具を提供することにある。
【課題を解決するための手段】
【０００５】
上記課題を解決するために、本発明のある観点によれば、装飾体又は装飾体が取り付けられる台座部に設けられた固定部と、少なくとも２箇所の固定部によって装飾体に固定され、装飾体側の一面に向かう方向に付勢力を生じさせる線状の弾性部材と、弾性部材を被覆する被覆部材とを備え、装飾体を保持する保持部材を、弾性部材と装飾体との間に挟持することを特徴とする装飾具用止め具が提供される。
【０００６】
かかる構成において、装飾体は、例えば宝飾品等であり、台座部は、例えば装飾体の一面設けられたり、装飾体を囲うように取り付けられたりする。固定部は、弾性部材を装飾体又は台座部に固定することができる。弾性部材は、装飾体の一面に向かう方向に付勢力を生じさせるので、装飾体と弾性部材との間で、保持部材を挟持することができる。被覆部材は、弾性部材の変形を防止したり、装飾体が落下することを防止したりすることができる。また、被覆部材は、保持部材の摺動をスムーズにさせる。
【０００７】
上記被覆部材は、弾性部材が挿通される中空状の部材であってもよい。かかる構成により、弾性部材を被覆する被覆部材を簡単に形成することができる。
【０００８】
上記弾性部材は、固定部から２以上の方向に延設されてもよい。また、上記弾性部材は、形状記憶合金又は合成樹脂で形成されてもよい。かかる構成により、弾性部材は、さまざまな配置や形状で形成することができる。また、形状記憶合金や合成樹脂の特性によって、弾性部材の弾性力を確実に確保することかできる。
【０００９】
上記被覆部材は、筒形状又は球形状で形成されてもよい。また、上記被覆部材は、弾性材で形成されてもよく、上記被覆部材は、シリコン樹脂又はウレタン樹脂で形成されてもよい。かかる構成により、弾性部材の形状や配置に応じた被覆部材を形成することができる。また、保持部材の摺動があった場合でも、弾性部材の変形を防止することができる。
【発明の効果】
【００１０】
本発明によれば、簡単に装飾体を取り付けられ、スムーズに装飾体の取り付け位置を変えることができ、さらに装飾体の落下を防止することができる。
【発明を実施するための最良の形態】
【００１１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１２】
まず、本発明の第１の実施形態の装飾具用止め具１００の構成について説明する。図１は、本実施形態の装飾具用止め具１００を示す平面図である。図２は、本実施形態の装飾具用止め具１００を示す側面図である。なお、図１及び図２では、台座部１１０が平板であり、ほぼ菱形形状を有する例を示しており、保持部材１３０が、球形状のビーズで連なる紐の例を示している。
【００１３】
装飾具用止め具１００は、宝飾品などの装飾体１２０を、紐や鎖（チェーン）などの保持部材１３０に保持させるための止め具である。装飾具用止め具１００が設けられる装飾体１２０は、貴金属や宝石等の宝飾品、クリスタルガラスやプラスチック等である。
【００１４】
装飾具用止め具１００は、固定部１０２と、弾性部材１０４と、被覆部材１０６、１０８とを備える。以下に、各構成部材について詳述する。
【００１５】
固定部１０２は、例えば環状に形成された鐶（カン）を有する金具である。固定部１０２は、図１及び図２に示すように、例えば台座部１１０に設けられる。台座部１１０は、図１及び図２に示すように装飾体１２０の一面に形成される平板でもよいが、かかる例に限定されず、装飾体１２０を囲むように形成されてもよい。固定部１０２のカンには、弾性部材１０４が挿通され、固定部１０２は、弾性部材１０４を装飾体１２０に対して固定することができる。
【００１６】
固定部１０２は、一端にカンが形成され、他端に台座部１１０に固定するための棒状の突き刺し部が形成されたカン付き突き刺しを用いてもよい。なお、固定部１０２は、台座部１１０ではなく、装飾体１２０に直接設けられてもよい。また、固定部１０２は、カン付き突き刺しに限定されず、平板状の台座部１１０や、装飾体１２０を囲むように形成された台座部１１０にカンが形成されているものを用いてもよい。さらに、本発明の固定部１０２は、上述したように金具の例に限定されず、弾性部材１０４を装飾体１２０に対して固定することができればよく、例えば、装飾体１２０又は台座部１１０に対する接着剤による接着部であってもよい。
【００１７】
弾性部材１０４は、線状の部材であり、例えば、金属製のワイヤ、合成樹脂製の糸などで形成される。弾性部材１０４の外側には、被覆部材１０６が被覆されている。弾性部材１０４は、少なくとも２箇所の固定部１０２で装飾体１２０に固定される。弾性部材１０４は、弾性部材１０４と装飾体１２０との間に保持部材１３０を挿入することができるように例えば弓状に形成される。保持部材１３０を装飾体１２０と弾性部材１０４との間に挿通する前は、弾性部材１０４は、装飾体１２０の一面に対してほぼ水平状態に配置されている。
【００１８】
そして、保持部材１３０を装飾体１２０と弾性部材１０４との間に挿通するときは、弾性部材１０４は、装飾体１２０の一面から持ち上げられる。弾性部材１０４は、装飾体１２０側、例えば、台座部１１０側の一面に向かう方向に付勢力を生じさせる。保持部材１３０が装飾体１２０と弾性部材１０４との間に挿通されると、弾性部材１０４は、弾性力によって保持部材１３０を挟持する。
【００１９】
弾性部材１０４には、例えば、径０．２ｍｍから径０．３ｍｍ程度の形状記憶合金ワイヤを用いてもよい。形状記憶合金は、チタン−ニッケル（Ti−Ni）合金などであり、弾性力に優れている。この場合、弾性部材１０４は、効果的に装飾体１２０側に付勢力を発生させることができる。また、弾性部材１０４は、ポリウレタン製の合成繊維からなる糸（例えばオペロン（登録商標）ゴム糸等）や、シリコンやウレタン等からなるゴム糸を使用してもよい。
【００２０】
被覆部材１０６、１０８は、弾性部材１０４を被覆するように形成される。被覆部材１０６、１０８は、例えば、弾性部材１０４が挿通される中空状の部材である。被覆部材１０６、１０８は、例えば弾性材であり、シリコン樹脂又はウレタン樹脂などで形成される。被覆部材１０６、１０８は、保持部材１３０が弾性部材１０４と装飾体１２０の間に挿入されたとき、装飾体１２０が自重で保持部材１３０上を滑り落ちるのを防止することができる。また、被覆部材１０６、１０８は、保持部材１３０上で装飾体１２０の高さ位置を調節する際、手などでスムーズに移動させることを可能にする。
【００２１】
被覆部材１０６は、例えば筒形状で形成され、図１及び図２に示すように断面が円形で形成される。なお、被覆部材１０６の断面は、円形に限定されず、四角形等の多角形であってもよいし、楕円形であってもよい。また、被覆部材１０８は、図１及び図２に示すように、例えば球形状で形成される。なお、被覆部材１０８は、真球に近い形状であってもよく、ラグビーのフットボールに近い楕円球であってもよい。
【００２２】
被覆部材１０６、１０８は、図１の２つの固定部１０２の下側に配置されているように、固定部１０２間の中央に筒状の被覆部材１０６が配置され、その両端に複数の球形状の被覆部材１０８が配置されてもよい。また、被覆部材１０６、１０８は、図１の２つの固定部１０２の下側に配置されているように、固定部１０２間で、２つの筒状の被覆部材１０６が配置され、固定部１０２と被覆部材１０６の間、２つの被覆部材１０６間に、球形状の被覆部材１０８が配置されてもよい。なお、本発明の被覆部材１０６、１０８の配置は、上述した例に限定されず、例えば、２つの固定部１０２間で、被覆部材１０６のみ又は被覆部材１０８のみが配置されてもよく、３以上の筒状の被覆部材１０６が配置されてもよい。
【００２３】
次に、本発明の第１の実施形態の装飾具用止め具１００に保持部材１３０を取り付ける際の装飾具用止め具１００の動作について説明する。
【００２４】
弾性部材１０４は、保持部材１３０を挿入する前、装飾体１２０の一面に対して水平状態である。保持部材１３０を取り付ける場合、弾性部材１０４を装飾体１２０の一面に対して持ち上げる。すると、固定部１０２に接近した弾性部材１０４は、装飾体１２０に近いままであるが、固定部１０２間の中央付近の弾性部材１０４は、装飾体１２０から離れて、装飾体１２０と弾性部材１０４の間に間隔ができる。そして、この間隔の中に、保持部材１３０を挿通する。保持部材１３０を挿入した後、持ち上げていた弾性部材１０４を放すと、弾性部材１０４の弾性力によって、弾性部材１０４は装飾体１２０側に付勢する。そして、弾性部材１０４は、弾性部材１０４と装飾体１２０の間で、保持部材１３０を挟持する。以上より、装飾具用止め具１００で装飾体１２０を保持部材１３０に保持させることができる。
【００２５】
次に、本発明の第１の実施形態の装飾具用止め具１００における固定部１０２と弾性部材１０４の配置関係の変更例について説明する。図３〜図５は、本実施形態の装飾具用止め具１００における固定部１０２と弾性部材１０４の配置関係の変更例を示す平面図である。なお、図３〜図５では、被覆部材１０６は図示せず、省略している。
【００２６】
例えば、図３（Ａ）〜（Ｊ）に示すように、固定部１０２は、台座部１１０の一面に２つ設けられる。そして、図１及び図２や図３（Ａ）、図３（Ｃ）、図３（Ｅ）などに示すように、１の固定部１０２から２つの方向に弾性部材１０４が延設される。また、図３（Ｂ）、図３（Ｄ）などに示すように、１の固定部１０２から４つの方向に弾性部材１０４が延設されてもよい。
【００２７】
固定部１０２の配置は、図３（Ａ）〜（Ｅ）に示すように、台座部１１０の長軸方向に２つ配置してもよく、台座部１１０の短軸方向に２つ配置してもよい。なお、かかる例に限定されず、台座部１１０の長軸方向や短軸方向に対して斜めの方向に２つ配置されてもよい。
【００２８】
弾性部材１０４の配置は、図３（Ａ）、図３（Ｆ）などに示すように、２つの固定部１０２間を通る１つの円や楕円などの曲線状で形成されてもよいし、その他の図で示すように２つ以上の円や楕円で形成されてもよい。さらに、弾性部材１０４は、曲線形状に限定されず、図３（Ｉ）に示すように、直線形状を組み合わせて構成されてもよい。
【００２９】
また、例えば、図４（Ａ）〜（Ｊ）に示すように、固定部１０２は、台座部１１０の一面に３つ設けられる。図３で示した例と同様に、固定部１０２と弾性部材１０４の関係、固定部１０２の配置、弾性部材１０４の配置は、様々なバリエーションを有することができる。例えば、固定部１０２は、図４（Ａ）〜（Ｅ）に示すように、台座部１１０の長軸方向に３つ配置してもよいし、図４（Ｆ）等に示すように三角形の頂点の位置に配置したり、図４（Ｈ）に示すように長軸方向に対して斜め方向に３つ配置したりしてもよい。
【００３０】
さらに、例えば、図５（Ａ）〜（Ｇ）に示すように、固定部１０２は、台座部１１０の一面に４つ設けられる。図３や図４で示した例と同様に、固定部１０２と弾性部材１０４の関係、固定部１０２の配置、弾性部材１０４の配置は、様々なバリエーションを有することができる。なお、本発明は、上述した例に限定されず、５つ以上の固定部１０２が配置されてもよい。また、台座部１１０に固定部１０２が設けられる例に限定されず、装飾体１２０の一面に直接固定部１０２が設けられてもよい。
【００３１】
次に、図６、図７を参照して、装飾体１２０をネックレスとして使用する場合について説明する。図６、図７は、本発明の第１の実施形態の装飾具用止め具１００の使用状態を示す説明図である。
【００３２】
図６に示すように、本実施形態では、装飾体１２０に設けられた２以上の固定部１０２が長軸方向に並ぶされるように、装飾体１２０がペンダントトップとして使用されてもよく、また、２以上の固定部１０２が短軸方向に並ぶように使用されてもよい。また、弾性部材１０４と装飾体１２０の間に保持部材１３０を挿通する場合、装飾体１２０に対して横方向に通してもよいし、上下方向に通してもよい。また、挿通する保持部材１３０は、１つの装飾具に対して、１本の例に限定されず、２本以上の保持部材１３０が挿通されてもよい。
【００３３】
また、図７に示すように、装飾具用止め具１００が設けられた１つの装飾具によって、複数の保持部材１３０をまとめることができる。また、本実施形態の装飾具用止め具１００によれば、１本の保持部材１３０でも、様々な形状のネックレスを形作るようにまとめることができる。さらに、装飾具用止め具１００には、保持部材１３０を挿通させるだけでなく、例えば、下方向に別のアクセサリなどを下げることもできる。
【００３４】
次に、図８、図９を参照して、装飾具用止め具１００が設けられる装飾具（アクセサリ）の例について説明する。図８、図９は、本発明の第１の実施形態の装飾具用止め具１００が設けられる装飾具の例を示す説明である。
【００３５】
本実施形態の装飾具用止め具１００は、上述したように、ネックレスに限定されず、図８、図９に示すように、例えば、ブローチ、羽織ひも飾り、帯留め、バングル、ベルト、メガネチェーン、かんざし・髪飾り、イヤリング・ピアス、ループタイ、スカーフ留め、ヘアーピン、帽子飾り、装飾飾り、帯飾りなどの装身具に装飾体１２０を使用する場合に適用することができる。また、本実施形態の装飾具用止め具１００は、装身具に適用する場合に限定されず、バック等の小物の装飾品、靴への取り外しのできる装飾ポイント等にも適用することができる。
【００３６】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【図面の簡単な説明】
【００３７】
【図１】本発明の第１の実施形態の装飾具用止め具１００を示す平面図である。
【図２】同実施形態の装飾具用止め具１００を示す側面図である。
【図３】同実施形態の装飾具用止め具１００における固定部１０２と弾性部材１０４の配置関係の変更例を示す平面図である。
【図４】同実施形態の装飾具用止め具１００における固定部１０２と弾性部材１０４の配置関係の変更例を示す平面図である。
【図５】同実施形態の装飾具用止め具１００における固定部１０２と弾性部材１０４の配置関係の変更例を示す平面図である。
【図６】同実施形態の装飾具用止め具１００の使用状態を示す説明図である。
【図７】同実施形態の装飾具用止め具１００の使用状態を示す説明図である。
【図８】同実施形態の装飾具用止め具１００が設けられる装飾具の例を示す説明である。
【図９】同実施形態の装飾具用止め具１００が設けられる装飾具の例を示す説明である。
【符号の説明】
【００３８】
１００      装飾具用止め具
１０２      固定部
１０４      弾性部材
１０６、１０８      被覆部材
１１０      台座部
１２０      装飾体
１３０      保持部材
【図１】
2008194231.tif 000003
【図２】
2008194231.tif 000004
【図３】
2008194231.tif 000005
【図４】
2008194231.tif 000006
【図５】
2008194231.tif 000007
【図６】
2008194231.tif 000008
【図７】
2008194231.tif 000009
【図８】
2008194231.tif 000010
【図９】
2008194231.tif 000011